(57)【要約】【課題】インジケータを薬剤揮散体に一体化しつつ、より正確に薬剤の揮散終了時期を表示することができる薬剤揮散具が望まれていた。【解決手段】本発明に係る薬剤揮散具は、常温揮散性薬剤を含浸し、かつインジケータ部を有する薬剤揮散体を容器に収納した薬剤揮散具であって、容器が開口部を有するポリエチレンテレフタレート製の容器であり、インジケータ部の中心が薬剤揮散体の外周縁から所定の領域に設けられたことを特徴とする。【選択図】図１
2014014345.tif 000002
【特許請求の範囲】
【請求項１】
常温揮散性薬剤を含浸し、かつインジケータ部を有する薬剤揮散体を容器に収納した薬剤揮散具であって、
前記容器が開口部を有するポリエチレンテレフタレート製の容器であり、
前記インジケータ部の中心が前記薬剤揮散体の外周縁から所定の領域に設けられたことを特徴とする薬剤揮散具。
【請求項２】
前記インジケータ部が、
前記インジケータ部の中心からの距離が、前記薬剤揮散体の中心から外周縁までの最短距離に対して３０％以上となるように前記薬剤揮散体の外周縁から内側に設けられたことを特徴とする請求項１に記載の薬剤揮散具。
【請求項３】
前記インジケータ部の中心が前記薬剤揮散体の外周縁から５ｍｍより内側に設けられたことを特徴とする請求項１に記載の薬剤揮散具。
【請求項４】
前記薬剤揮散体を前記容器に収納した際に、前記薬剤揮散体と前記容器の内壁面との距離を１０ｍｍ以内となるように設けることを特徴とする請求項２または請求項３に記載の薬剤揮散具。
【請求項５】
前記薬剤揮散体を前記容器に収納した際の、
前記容器の、前記インジケータ部の背面に対向する部分には開口部を設けないことを特徴とする請求項１から請求項４のいずれか一項に記載の薬剤揮散具。
【発明の詳細な説明】
【技術分野】
【０００１】
本発明は、クローゼットなどの収納空間において使用される薬剤揮散具に係り、さらに詳しくは常温揮散性薬剤の揮散の影響を受けずに、当該薬剤成分の揮散の終了を表示するインジケータを薬剤揮散体と一体化しつつ、従前の薬剤揮散具に比べてより正確に薬剤の揮散終了時期を表示することができる薬剤揮散具に関するものである。
【背景技術】
【０００２】
従来から、常温揮散性薬剤を不織布などに含浸させた薬剤揮散体を容器に収納した薬剤揮散具は知られている。
ここで、このような薬剤揮散具は、通常、薬剤成分の揮散の終了を表示するインジケータが薬剤揮散体とは別に設けられていることが多いが、近年においては例えば特許文献１〜４などのようにインジケータが薬剤揮散体と一体となっているものが開示されている。
【先行技術文献】
【特許文献】
【０００３】
【特許文献１】特許第４５４３１１３号公報
【特許文献２】実公平５−９３８号公報
【特許文献３】特許第４７５３４０４号公報
【特許文献４】実用新案登録第２６０４３４５号公報
【特許文献５】特開平１１−１８７７９８号公報
【発明の概要】
【発明が解決しようとする課題】
【０００４】
しかしながら、特許文献１に記載のインジケータ用紙については、インジケータが薬剤揮散体と一体となっているものの、薬剤揮散体内のどの位置にインジケータが一体化されているかについては記載がなされていない。また、特許文献２および特許文献３に記載のインジケータおよび防虫剤については、薬剤揮散体におけるインジケータの位置に関する記載があるものの、特許文献２の図２、図６、図９や特許文献３の図１に記載されている通り、インジケータは薬剤揮散体の中央部に設けられているものとなっている。
【０００５】
なお、このような薬剤揮散具は、衣類とともにクローゼットなどの収納空間のハンガーポールに引っ掛けて使用されるものであることから、揮散の終了を示すインジケータは、同じくハンガーポールに引っ掛けている衣類の間からも見やすいように薬剤揮散体内でも端部に設けられていることが好ましいものである。
よって、特許文献１〜３に記載のインジケータは、使用時において揮散の終了を確認しづらいという問題がある。
【０００６】
一方、特許文献４に記載のインジケータについては、特許文献４の図１や図５に記載されている通り、インジケータが薬剤揮散体の端部に設けられていることから、使用時においても揮散の終了を確認し易いという長所がある。
しかしながら、特許文献４に記載のインジケータについては、薬剤揮散体が収納される容器に関する記載がなされていない。
【０００７】
ここで、このような薬剤揮散具については、薬剤揮散体から揮散する常温揮散性薬剤が薬剤揮散具を収納する容器によって吸着されてしまうという問題があり、特許文献５の段落［０００５］、［０００６］に記載の通り、ポリエチレン、ポリプロピレンなどを容器の材料に使用した場合などは、この吸着現象が顕著に表れ、常温揮散性薬剤の薬剤揮散体外周縁からの消失を促進することとなり、その結果、防虫効果などの効力低下やインジケータの精度低下という問題が発生することになる。
【０００８】
この点、特許文献５においては、容器に脂肪族ポリケトンを用いることによってこの問題の解決を図っている。
しかしながら、特許文献５の［請求項２］や［０１０７］に記載されている通り、実際には脂肪族ポリケトンを汎用プラスチックにコーティング等をしなければ高価な脂肪族ポリケトンを使用することができず、そのためには、コーティング等の製造方法の工夫や脂肪族ポリケトンの剥離防止の対策などが必要となってくることから、製造工程が複雑になってしまうという欠点があった。
【０００９】
そこで、本発明者らは鋭意検討した結果、インジケータ部の中心を薬剤揮散体の外周縁から所定の領域に設け、かつポリエチレンテレフタレートによって容器を作製することによって、上記の問題点を解決する薬剤揮散具を実現できることを見出した。
【００１０】
本発明は、上記した従来の問題点に鑑みてなされたものであって、薬剤揮散体とインジケータを一体化しつつ、従前の薬剤揮散具に比べてより正確に薬剤の揮散終了時期を表示することができる薬剤揮散具の提供を目的とする。
【課題を解決するための手段】
【００１１】
上記目的を達成するために、本発明の請求項１に係る薬剤揮散具は、常温揮散性薬剤を含浸し、かつインジケータ部を有する薬剤揮散体を容器に収納した薬剤揮散具であって、容器が開口部を有するポリエチレンテレフタレート製の容器であり、インジケータ部の中心が薬剤揮散体の外周縁から所定の領域に設けられたことを特徴とする。
【００１２】
本発明の請求項２に係る薬剤揮散具は、インジケータ部が、インジケータ部の中心からの距離が、薬剤揮散体の中心から外周縁までの最短距離に対して３０％以上となるように薬剤揮散体の外周縁から内側に設けられたことを特徴とする。
【００１３】
本発明の請求項３に係る薬剤揮散具は、インジケータ部の中心が薬剤揮散体の外周縁から５ｍｍより内側に設けられたことを特徴とする。
【００１４】
本発明の請求項４に係る薬剤揮散具は、薬剤揮散体を容器に収納した際に、薬剤揮散体と容器の内壁面との距離を１０ｍｍ以内となるように設けることを特徴とする。
【００１５】
本発明の請求項５に係る薬剤揮散具は、薬剤揮散体を容器に収納した際の、容器の、インジケータ部の背面に対向する部分には開口部を設けないことを特徴とする。
【発明の効果】
【００１６】
本発明に係る薬剤揮散具によれば、インジケータを薬剤揮散体の外周縁から所定の領域に一体化するとともに、当該容器をポリエチレンテレフタレートとすることよって、１）薬剤の揮散の影響を受けずにインジケータを一体化できるとともに、２）容器成分が薬剤成分を吸着することによるインジケータの性能低下を防止することができ、３）従前の薬剤揮散具に比べてより正確に薬剤の揮散終了時期を表示できる薬剤揮散具を提供することができる。
【００１７】
さらに容器に収納した際に薬剤揮散体を容器の内面から所定の距離以内となるように設けることによって、上記１）〜３）の効果を有しつつ、薬剤揮散具自体の厚みをより薄くした薬剤揮散具を提供することができる。
【００１８】
加えて、薬剤揮散体を容器に収納した際において、容器の、インジケータ部の背面に対向する部分に開口部を設けず塞いでおくことによって、インジケータ部の性能低下をより防止することができ、より一層正確に薬剤の揮散終了時期を表示できる薬剤揮散具を提供することができる。
【図面の簡単な説明】
【００１９】
【図１】本発明の薬剤揮散具の正面図である。
【図２】本発明に用いられる薬剤揮散体の一の例を示す正面図である。
【図３】本発明に用いられる薬剤揮散体の別の例を示す正面図である。
【図４】本発明の薬剤揮散具の一の例を示す背面図である。
【図５】本発明の薬剤揮散具の別の例を示す背面図である。
【図６】図１のＡ−Ａ‘断面図である。
【発明を実施するための形態】
【００２０】
本発明の実施形態を図面に基づいて説明する。なお、以下に述べる実施形態は本発明を具体化した一例に過ぎず、本発明の技術的範囲を限定するものでない。図１は本発明の薬剤揮散具の正面図であり、図２は本発明に用いられる薬剤揮散体の一の例を示す正面図であり、図３は本発明に用いられる薬剤揮散体の別の例を示す正面図であり、図４は本発明の薬剤揮散具の一の例を示す背面図であり、図５は本発明の薬剤揮散具の別の例を示す背面図であり、図６は図１のＡ−Ａ‘断面図である。
【００２１】
（薬剤揮散具）
本発明の薬剤揮散具１は、図１および図２に示すように、インジケータ２を一体化しつつ常温揮散性薬剤を含浸させた薬剤揮散体３と、かかる薬剤揮散体３を収納する容器４によって構成されている。また、容器４にはクローゼットなどの収納空間のハンガーポールに引っ掛けて使用するためのフック５が設けられている。
【００２２】
（薬剤揮散体およびインジケータ）
本発明の薬剤揮散具１に用いられる薬剤揮散体３は、紙などからなる基材６に後記する常温揮散性薬剤（図示せず）を含浸または練り込んだ担体のことをいい、所定の領域にインジケータ２が設けられているものである。具体的には、常温揮散性薬剤を含浸等した基材６に、シリカ、炭酸カルシウム、タルク、酸化チタンなどの顔料をメジウムや合成樹脂などのバインダーおよび有機溶剤などで分散した混合液をシルクスクリーン印刷等の印刷技法を用いて塗工することによって、薬剤揮散体３にインジケータ２が一体化されることになる。
【００２３】
そして、かかるインジケータ２は薬剤揮散体３内において薬剤揮散体３の外周縁７から所定の領域に設けられている必要がある。かかる領域にインジケータ２が設けられていることによって、常温揮散性薬剤が薬剤揮散体３の外周縁７から消失することになっても、薬剤の揮散ムラの影響を受けずにインジケータ２を一体化することができるのである。また、後記するようにポリエチレンテレフタレートによって作製した容器に収納することによって、さらに薬剤の揮散ムラの影響を受けずにインジケータ２を一体化することができるのである。
ここで、「所定の領域８」については、厳密には薬剤揮散体３の大きさによって異なるものとなるが、具体的にはインジケータ２の中心からの距離が、薬剤揮散体３の中心から外周縁７までの最短距離に対して３０％以上となるように、インジケータ２が配置されていることが好ましい。また、図２や図３に示すようにインジケータ２の中心が薬剤揮散体３の外周縁７から５ｍｍより内側に設けられていればより好ましく、さらに好ましくは８ｍｍ以内である。
【００２４】
また、本実施形態においては図２に示すようにインジケータ部２が「おとりかえ」の文字を一段に表記する形態となっているが、これに限定されるものではなく各種の形態を採用することができる。例えば、薬剤揮散体３は、容器４内に収納する際の容易性を考慮し、容器４の内寸に対して少し小さめのサイズとして、遊びを持たせて収納することが多いことから、かかる遊びによって薬剤揮散体３が容器４内で多少動いた場合でもインジケータ部２が視認できるように、図３に示すような「おとりかえ」の文字を複数段に表記する形態など各種の形態を採用することができる。
【００２５】
なお、基材６の材質としては、当該薬剤を含浸または練り込むことができるものであれば特に限定されず、例えば、紙、パルプ紙、板紙、合成繊維混抄紙、不織布、織物、ポリオレフィン樹脂等が使用可能である。
【００２６】
さらに、本発明の薬剤揮散具１に用いられる薬剤揮散体３は、基材６に常温揮散性薬剤を含浸、塗工、練り込むことなどによって作製されるが、基材６については何枚かの紙を複数用いてそれらを積層することにより１枚として形成したものを使用することが好ましい。このように薬剤揮散体を複数積層することでそれぞれの薬剤揮散体から常温揮散性薬剤を徐々に揮散させることができるため、安定した揮散効果を発現させることができる。
なお、積層数については特に限定されないが、３〜６層であることが好ましい。また、積層の方法については、接着や圧着などの公知の方法を用いることができるが、それぞれの薬剤揮散体から常温揮散性薬剤を揮散させることができる点から、パルプ紙を抄造して作製した基材に常温揮散性薬剤を含浸させた複数枚の薬剤揮散体を単純に重ねたものを薬剤揮散体３とすることが好ましい。
【００２７】
（常温揮散性薬剤）
本発明の薬剤揮散具１に用いられる常温揮散性薬剤としては、常温において空気中に揮散する性質を有するものであれば特に限定されず、抗菌成分、防黴成分、消臭成分、香料成分を用いることができる。
例えば、防虫効果を求める場面では、ｐ−メンタン−３，８−ジオール、ｐ−メンタン−１，８−ジオール、テルピネオール、ゲラニオール、リナロール、シトロネラール、オイゲノール、カンファー、ユーカリプトール等のテルペン系防虫成分や、エムペントリン、プロフルトリン、トランスフルトリン、メトフルトリン等のピレスロイド系殺虫成分等が挙げられる。なお、これらの揮散性のピレスロイド系防虫剤については、各種の光学異性体または幾何異性体が存在するが、いずれの異性体類も使用することができ、また、各種の添加剤を使用することもできる。
【００２８】
芳香剤としては、シトロネラ油、オレンジ油、レモン油、ライム油、ユズ油、ラベンダー油、ペパーミント油、ユーカリ油、ジャスミン油、檜油、緑茶精油、リモネン、α―ピネン、リナロール、ゲラニオール、フェニルエチルアルコール、アミルシンナミックアルデヒド、ベンジルアセテートなどが挙げられる。
【００２９】
消臭剤としては、揮発性のものではヒバ油、ヒノキ油、竹エキス、ヨモギエキス、キリ油やピルビン酸エチル、ピルビン酸フェニルエチル等のピルビン酸エステルなどが挙げられるが、活性炭、ゼオライト等の多孔性物質から成る消臭剤や銀、銅、亜鉛等の金属イオン、あるいは酸化チタン光触媒を有する消臭剤を、板状、顆粒状、シート状等の状態としたものも使用できる。
【００３０】
防黴剤としては、２−ｎ−オクチル−４−イソチアゾリン−３−オン、イソプロピルメチルフェノール、オルソフェニールフェノールなどが挙げられる。
【００３１】
抗菌剤としては、ヒノキチオール、テトラヒドロリナロール、オイゲノール、シトロネラール、アリルイソチオシアネートなどが挙げられる。
【００３２】
なお、本発明に用いられる薬剤揮散体３の製品１個当たりの有効成分使用量としては、使用される空間の容量や使用期間などに応じて適宜決定されることになるが、防虫成分がエムペントリンであれば１００〜１２００ｍｇ、プロフルトリンであれば５０〜１０００ｍｇを含浸等させた担体を使用することで、一年間を通じて十分な防虫効果を発揮することができる。
【００３３】
また、本発明の防虫成分には、各種の添加剤を使用してもよい。例えば、ヘキサン、パラフィン等の炭化水素系化合物や各種の石油系溶剤、各種の安定剤、忌避剤、抗菌剤、防黴剤、消臭剤、芳香剤、香料等を配合することができる。具体的には、ヒノキチオール、テトラヒドロリナロール、オイゲノール、シトロネラール、アリルイソチオシアネート等の抗菌剤、２−ｎ−オクチル−４−イソチアゾリン−３−オン、イソプロピルメチルフェノール、オルソフェニールフェノール等の防黴剤、シトロネラ油、オレンジ油、レモン油、ライム油、ユズ油、ラベンダー油、ペパーミント油、ユーカリ油、ジャスミン油、檜油、緑茶精油、リモネン、α―ピネン、リナロール、ゲラニオール、フェニルエチルアルコール、アミルシンナミックアルデヒド、ベンジルアセテート等の芳香剤、「緑の香り」と呼ばれる青葉アルコールや青葉アルデヒドが配合されている香料などが挙げられる。
【００３４】
（容器）
本発明の薬剤揮散具１に用いられる容器４は、上記した薬剤揮散体３を収納してクローゼットなどの収納空間のハンガーポールに引っ掛けるためのものであり、図１および、図４（または図５）に示すように開口部１２が設けられているものである。
そして、本発明の薬剤揮散具１に用いられる容器４は、ポリエチレンテレフタレートによって作製されている必要がある。このようにポリエチレンテレフタレートによって作製した容器４を使用することによって、常温揮散性薬剤の容器への吸着を防止することができ、その結果、薬剤揮散体外周縁７からの常温揮散性薬剤の過剰な消失を抑制することができるのである。そして、段落［００１８］に記載の通り、インジケータ２を薬剤揮散体３内において薬剤揮散体３の外周縁７から所定の領域に設けたこととの相乗効果によって、従前の薬剤揮散具に比べてより正確に薬剤の揮散終了時期を表示することができる薬剤揮散具１を提供することができるのである。
なお、図１および図４（または図５）に示す薬剤揮散具に使用している容器４は、上蓋部と下蓋部の２パーツから容器４を構成しているが、これに限定されるものではなく、３パーツ以上のパーツや一体成型などによって構成することもできる。
【００３５】
次に、本発明の薬剤揮散具１に用いられる容器４の内壁面９と薬剤揮散体３との距離が所定の距離内に設けられていることが好ましい。このようにポリエチレンテレフタレートによって作製した容器４を使用しつつ、かかる距離に薬剤揮散体３を配置することによって、揮散効率を維持しながら薬剤揮散具１を薄くすることができるのである。
また、容器内壁面９と薬剤揮散体３との距離が短くなることから、薬剤揮散具１内において薬剤揮散体３を保持するためのリブ等の突起１０を必要最小限のものとすることができ、容器４をより簡単な構造とすることができるのである。
さらに、容器内壁面９と薬剤揮散体３との距離が短くなることから、薬剤揮散体３を収納する容積が大きくなることに起因する容器自体の強度の低下を防止することができ、その上、薬剤揮散具１自体がスリムになることから、クローゼット等の収納空間内においてスペースを取ることなく、取扱いも容易になるという効果も奏するのである。
【００３６】
ここで、「所定の距離内１１」については、厳密には薬剤揮散具１の大きさによって異なるものとなるが、図６に示すように容器内壁面９と薬剤揮散体３との距離が薬剤揮散具１の断面視において１０ｍｍ以内となるように設けられていれば、本発明の効果を発現させることができ、好ましくは５ｍｍ以内である。
【００３７】
加えて、従前のように高価な脂肪族ポリケトンを用いて容器を作製したり、汎用プラスチックにコーティング等したりすることをすることなく、安価に薬剤揮散具１を提供することができる。
【００３８】
また、本実施形態においては図１および、図４（または図５）に示すように正面および背面に開口部１２を設けているが、これに限定されるものではなく側面にも設けることができる。なお、開口部１２の各面における面積（開口率）においては使用される空間の容量や使用期間などに応じて適宜決定されることになるが、揮散効率の点から各面の３０〜７０％であることが好ましい。
【００３９】
さらに、本発明の薬剤揮散具１に用いられる容器４については、図４に示すように薬剤揮散体を容器に収納した際の、容器のインジケータ部の背面に対向する部分に開口部を設けることもできるが、図５に示すように当該部分には開口部を設けないことが好ましい。
このように、インジケータ部の背面に対向する部分を塞いでおくことによって、インジケータ部の背面からの常温揮散性薬剤の揮散を抑制することができ、インジケータ部からの常温揮散性薬剤の揮散速度と、インジケータ部以外の薬剤揮散体からの常温揮散性薬剤の揮散速度をより均一なものとすることができる。その結果、インジケータ部の性能低下をより防止することができ、より一層正確に薬剤の揮散終了時期を表示することができる。
【実施例】
【００４０】
次に、本発明の具体的な効果を実施例と比較例とを対比させて詳しく説明する。
【００４１】
（実施例１および比較例）
（薬剤揮散体の作製）
層構造が１層となるように抄造した、縦５ｃｍ、横１０ｃｍ、厚さ１ｍｍの緑色の地色を有するパルプ紙を基板として、基板の外周縁からインジケータ中心までの距離が表１のＡに示す距離（５ｍｍ、８ｍｍ、１５ｍｍ、２５ｍｍ）となるように、縦１０ｍｍ×横１０ｍｍの大きさのインジケータを基板上にスクリーン印刷した。なお、インジケータには無定形シリカとバインダーを含有するインキを使用した。その後、本基板に約１００日分に相当する量となる、エムペントリン３５０ｍｇとパラフィン系溶剤４０ｍｇからなる常温揮散性薬剤を均一に含浸させて、実施例１および比較例に使用する薬剤揮散体を作製した。
【００４２】
（薬剤揮散具の作製）
次に、薬剤揮散体を収納する部分の面積が５．８ｃｍ×１０．８ｃｍで容器の内壁面と薬剤揮散体との距離が表１のＢに示す距離（１ｍｍ、３ｍｍ、５ｍｍ、１０ｍｍ）となるようにした上蓋部と下蓋部の２パーツからなる容器を、ポリエチレンテレフタレート樹脂（実施例１）とポリプロピレン樹脂（比較例）の２種類を用いてそれぞれ成形することによって作製した。なお、容器には図１および図４に示すように正面と背面に常温揮散性薬剤を揮散させるための開口部（下蓋部のインジケータ部の背面に対向する部分にも上蓋部と同様の開口部を設けた）と、薬剤揮散体内のインジケータ部分を確認するための窓部を設け、上部にはハンガーポールに引っ掛けて使用するためのフックを設けるように作製した。
最後に、上記の薬剤揮散体を収納して、ＡおよびＢの距離が表１に記載の水準となっている実施例１および比較例の薬剤揮散具を作製した。
【００４３】
（評価）
実施例１および比較例の薬剤揮散具を３０℃に調節された（この温度条件下であることによって、［００４１］に記載の常温揮散性薬剤の量が１００日分に相当することとなる）無風の試験室内に吊下げて、インジケータが白色に変化するまでの日数を評価した。またＢの距離が５ｍｍのものについては、別途、８０日目から１０５日目までについて５日間間隔で薬剤揮散体の残量を分析し、常温揮散性薬剤が約５％にまで減少する日数（薬剤揮散体の終点）を調べ、インジケータが白色に変化するまでの日数との比較を行った。
【００４４】
結果を表１に示す。
【表１】
2014014345.tif 000003
【００４５】
表１から容器がポリエチレンテレフタレート樹脂製である実施例１の薬剤揮散具については、インジケータ中心が薬剤揮散体の外周縁から５ｍｍ（所定の領域）より内側に設けられており、容器内壁面と薬剤揮散体との距離が１０ｍｍ（所定の距離）内に設けられていることから、全ての水準において、設計通り（約１００日分）のインジケータ精度を示した。特に、Ａの距離（薬剤揮散体の外周縁からインジケータ中心までの距離）が８ｍｍ以内の水準においては、５ｍｍの場合よりもさらに良好なインジケータ精度を示した。
また、Ｂの距離（容器内壁面と薬剤揮散体との距離）が５ｍｍ以内である場合においては、１０ｍｍの場合に比べてインジケータ部が開口部と近くなることから、実際の使用場面（タンス内などのハンガーポールに吊下げた際に斜めからインジケータを観察した際）において、特にインジケータの視認性が良好であった。
【００４６】
これに対し、容器がポリプロピレン樹脂製である比較例の薬剤揮散具については、Ａの距離およびＢの距離が十分に確保されている場合においても、容器への常温揮散性薬剤の吸着が影響して、設計よりも短い期間で揮散性能が終了してしまった。そして、その中でもＡの距離が８ｍｍよりも短い場合やＢの距離が狭い場合には、７０日〜９０日程度という設定よりも顕著に早い期間でインジケータの表示が現れてしまうという結果となった。
【００４７】
ここで、インジケータの終点表示における精度は、１）使用者に実際に使用を止めてもらう常温揮散性薬剤の残量状態（薬剤揮散体のデッドロスを考慮し、常温揮散性薬剤が約５％残存している状態を終了の理想目安とする）と、２）インジケータの終点表示がほぼ一致することである。そして上記の通り、実施例１の場合には１）と２）とがほぼ一致した（外周縁からのインジケータの中心までの距離が８ｍｍ以上の場合は特に良好である）のに対し、比較例の場合にはインジケータの表示のばらつきが大きいうえに、外周縁からのインジケータの中心までの距離が８ｍｍ以上ある場合であっても、インジケータの終点表示が常温揮散性薬剤の残量状態よりも早くなってしまい、インジケータの精度が劣ることがわかった。
【００４８】
（実施例２）
薬剤揮散具の各構成要件を以下の通りに変更した以外は実施例１と同様にして実施例２の薬剤揮散具を作製し、容積８００Ｌのタンスの中に２個（約１年分に相当）吊るしてインジケータの文字が表示されるまでの日数を評価した。
基材：縦４．５ｃｍ、横９．８ｃｍ、厚さ１ｍｍの緑色の地色を有するパルプ紙
インジケータ：１３ｍｍ×２０ｍｍの枠内に「おとりかえ」の文字をスクリーン印刷
常温揮散性薬剤：エムペントリン３００ｍｇとパラフィン系溶剤５０ｍｇの混合物
薬剤揮散体を収納する部分の面積：４．９ｃｍ×１０．２ｃｍ
Ａの距離：９ｍｍ
Ｂの距離：２ｍｍ
【００４９】
その結果、１２ヶ月目に「おとりかえ」の文字が明瞭に表示され、精度の良いインジケータであることを示した。また、収納衣類は約１年間にわたり衣料害虫の食害を受けなかった。
【００５０】
（実施例３）
下蓋部の容器について、図５に示すように、インジケータ部の背面に対向する部分には開口部を設けないように変更した以外は実施例１と同様にして実施例３の薬剤揮散具を作製し、実施例１と実施例３の薬剤揮散具について以下の２つの雰囲気下における評価を行った。なお、１）、２）の評価ともサンプル数は１０個とし、同じ評価を２回行った。
１）２５℃に調節された（この温度条件下であることによって、［００４１］に記載の常温揮散性薬剤の量が１年分に相当することとなる）無風の試験室内に吊下げて、インジケータが白色に変化するまでの日数を評価した。
２）１０軒の家庭において、各家庭が使用しているクローゼットやタンスなどの収納空間中に吊下げて、インジケータが白色に変化するまでの日数を評価した。
【００５１】
結果を表２に示す。
【表２】
2014014345.tif 000004
【００５２】
表２に示す通り、インジケータ部の背面に対向する部分に開口部が設けられている実施例１の薬剤揮散具についても十分なインジケータ精度を示したが、インジケータ部の背面に対向する部分に開口部が設けられていない実施例３の薬剤揮散具はそれ以上に高いインジケータ精度を示した。
また、雰囲気条件が異なるような、各家庭において使用する場合においても良好なインジケータ精度を示した。
【００５３】
（実施例４）
（薬剤揮散体の作製）
層構造が５層となるように抄造した、縦５ｃｍ、横１０ｃｍ、厚さ１ｍｍの緑色の地色を有するパルプ紙を基板とし、エムペントリン３００ｍｇと香料１００ｍｇとパラフィン系溶剤４０ｍｇからなる常温揮散性薬剤を均一に含浸させた以外は実施例１と同様にして実施例４に使用する薬剤揮散体を作製した。
【００５４】
（薬剤揮散具の作製）
次に、薬剤揮散体を収納する部分の面積が５．８ｃｍ×１０．８ｃｍで容器の内壁面と薬剤揮散体との距離が５ｍｍとなるようにした上蓋部と下蓋部の２パーツからなる容器（下蓋部のインジケータ部の背面に対向する部分にも上蓋部と同様の開口部を設けた）に、上記の薬剤揮散体を収納して、実施例４の薬剤揮散具を作製した。
【００５５】
（評価）
実施例１と実施例４の薬剤揮散具を１０個用意し、２５℃に調節された（この温度条件下であることによって、［００５３］に記載の常温揮散性薬剤の量が１年分に相当することとなる）無風の試験室内に吊下げ、以下の２つの評価を２回行った。
１）１０人の評価者によって、試験開始直後、６ヶ月後、１２ヶ月後の各薬剤揮散具の香りを５段階（１：強い、２：やや強い、３：やや弱い、４：弱い、５：  ほとんど香りはしない）によって官能評価した。
２）試験開始直後、６ヶ月後、１２ヶ月後のエムペントリンの残量をガスクロマトグラフ法によって測定した。
【００５６】
結果を表３および表４に示す。
【表３】
2014014345.tif 000005
【表４】
2014014345.tif 000006
【００５７】
表３に示す通り、１）の官能評価については、１層構造の薬剤揮散体を使用した実施例１の薬剤揮散具についても十分な香りの持続性能を示したが、５層構造の基材を使用した実施例４の薬剤揮散具はそれ以上に高い香りの持続性能を示した。具体的には、１２ヶ月後において実施例１と実施例４の評価は平均値では大差がない結果となったが、各試験者の評価結果において評価５（ほとんど香りはしない）と評価した試験者が、実施例１（１層構造）では３〜４人いたのに対し、実施例４（５層構造）では１人のみであったことから、実施例４の薬剤揮散具は、より高い香りの持続性能を示すものであることがわかる。
ここで、香料成分の揮散が持続するということは、同等の蒸気圧を有するエムペントリンについても同様に薬剤揮散体からの揮散が持続しているということを示すものである（このことは後記するエムペントリンの残量からもわかることである）。
【００５８】
次に、２）のエムペントリンの残量についても、表４に示す通り、１層構造の薬剤揮散体を使用した実施例１の薬剤揮散具も十分なエムペントリンの残量が認められたが、５層構造の薬剤揮散体を使用した実施例４の薬剤揮散具はそれ以上の残量を示した。具体的には、１２ヶ月後における実施例１と実施例４のエムペントリン残量の標準偏差は約２倍の差が認められた。
【００５９】
以上から、本発明の薬剤揮散具に用いられる薬剤揮散体は、基材に常温揮散性薬剤を含浸または練り込んだ薬剤揮散体を複数枚用意して、それらを積層することによって形成したものを使用することが好ましいことがわかる。
【産業上の利用可能性】
【００６０】
本発明の薬剤揮散具は、クローゼットなどの収納空間において使用される薬剤揮散具に用いることができる。
【符号の説明】
【００６１】
１    薬剤揮散具
２    インジケータ
３    薬剤揮散体
４    容器
５    フック
６    基材
７    外周縁
８    所定の領域
９    内壁面
１０  突起
１１  所定の距離内
１２  開口部
【図１】
2014014345.tif 000007
【図２】
2014014345.tif 000008
【図３】
2014014345.tif 000009
【図４】
2014014345.tif 000010
【図５】
2014014345.tif 000011
【図６】
2014014345.tif 000012